(57)【要約】  マグネットスイッチを小型軽量化した場合でも接点シャフトを安定して移送することのできる、信頼性の高いマグネットスイッチを提供する。  ソレノイドへ通電してスプリングの力に抗してプランジャ（６）を固定鉄心（５）に吸引し、プランジャ（６）で接点シャフト（１２）を操作して接点（９）を開閉し、接点シャフト（１２）が、プランジャ（６）に形成された第１の摺動支持部（６ｃ）と固定鉄心（５）に形成された第２の摺動支持部（５ｃ）とで摺動可能に支持されており、プランジャ（６）が接点シャフト（１２）に係合して接点閉じ方向に接点シャフト（１２）を推進させるための第１の係合部が第１の摺動支持部（６ｃ）と第２の摺動支持部（５ｃ）の間に設けられるようにマグネットスイッチを構成する。
2015098327.tif 000002
【特許請求の範囲】
【請求項１】
ソレノイドへ通電してスプリングの力に抗してプランジャを固定鉄心に吸引し、
当該プランジャで接点シャフトを操作して接点を開閉するマグネットスイッチであって、
前記接点シャフトが、前記プランジャに形成された第１の摺動支持部と前記固定鉄心に形成された第２の摺動支持部とで摺動可能に支持されており、
プランジャが前記接点シャフトに係合して接点閉じ方向に前記接点シャフトを推進させるための第１の係合部が前記第１の摺動支持部と前記第２の摺動支持部との間に設けられているマグネットスイッチ。
【請求項２】
請求項１に記載のマグネットスイッチにおいて、
前記ソレノイドへの通電がＯＦＦされ、前記プランジャが前記スプリングの力で初期位置に戻る際、
所定量ストロークしたところで、接点シャフトの端部に設けた第２の係合部がプランジャ内径部と係合されるように構成されたマグネットスイッチ。
【請求項３】
請求項１において、
前記第１の係合部が、前記接点シャフトに嵌合されたカラーによって形成されたマグネットスイッチ。
【請求項４】
コイルが通電されてプランジャがスプリングの力に抗して所定量ストロークしたところで、前記プランジャがシャフトと係合して当該シャフトを接点閉位置に移動させるマグネットスイッチであって、
前記プランジャと前記シャフトとの第１の係合部が、前記シャフトの軸方向中間位置で固定鉄心近傍に形成されているマグネットスイッチ。
【請求項５】
請求項４に記載のマグネットスイッチにおいて、
前記コイルが消勢されてプランジャがスプリングによって初期位置に戻る際、
前記プランジャが所定量ストロークしたところで、第１の係合部とは逆方向の係合状態で前記プランジャと前記シャフトとが係合する、第２の係合部を有するマグネットスイッチ。
【請求項６】
ソレノイドと、
前記ソレノイドによって駆動されるプランジャと
を有するマグネットスイッチであって、
前記プランジャと摺動可能に設けられた第１のシャフトと第２のシャフトとを備え、
前記プランジャと第２のシャフトとはプランジャのストローク時に係合する係合部を備えるマグネットスイッチ。
【請求項７】
請求項６に記載のマグネットスイッチにおいて、
前記第２のシャフトが、可動接点を駆動するマグネットスイッチ。
【請求項８】
請求項６に記載のマグネットスイッチにおいて、
前記プランジャは、
前記第１のシャフトと係合する第１の係合部と、
前記第２のシャフトと係合する第２の係合部とを備えるマグネットスイッチ。
【請求項９】
請求項８に記載のマグネットスイッチにおいて、
前記プランジャは、前記第１のシャフトを押圧するトーションスプリングを備えるマグネットスイッチ。
【請求項１０】
請求項８に記載のマグネットスイッチにおいて、
前記プランジャは、軸方向両端面に開口部を有し、
軸方向一方側の前記開口部から前記第１のシャフトが突出し、
軸方向他方側の前記開口部から前記第２のシャフトが突出しているマグネットスイッチ。
【請求項１１】
請求項８に記載のマグネットスイッチにおいて、
前記第２の係合部は前記プランジャのストロークの方向に対応して２箇所の係合部を有することを特徴とするマグネットスイッチ。
【請求項１２】
ソレノイドへ通電してスプリングの力に抗してプランジャを固定鉄心に吸引し、
当該プランジャで接点シャフトを操作して接点を開閉するマグネットスイッチであって、
前記接点シャフトとプランジャとを組合せた際の軸方向長さが可変であり、
前記プランジャを介して前記接点シャフトを接点開方向に移動することができるプランジャリターンスプリングを有し、
前記プランジャの径方向内周面に前記接点シャフトとの係合部を有するマグネットスイッチ。
【請求項１３】
請求項１２に記載のマグネットスイッチにおいて、
前記プランジャリターンスプリングの軸方向寸法内で当該プランジャリターンスプリングの内径側に前記係合部が位置するマグネットスイッチ。
【請求項１４】
請求項１乃至１３のいずれかに記載のマグネットスイッチを備えたスタータ。
【発明の詳細な説明】
【技術分野】
【０００１】
本発明は、内燃機関のスタータに好適なマグネットスイッチ、およびこれを備えたスタータに関する。
【背景技術】
【０００２】
本技術分野の背景技術として、特許第３２３５７８３号公報（特許文献１）がある。この公報には、「接点シャフトを用い確実に接点同士を離間するマグネットスイッチを提供する」と記載されている。
【先行技術文献】
【特許文献】
【０００３】
【特許文献１】特許第３２３５７８３号公報
【発明の概要】
【発明が解決しようとする課題】
【０００４】
特許文献１のような従来の構成において、マグネットスイッチの小型軽量化のため、接点シャフトを小径化したり、材質を変えたりした場合、次のような課題があった。すなわち、プランジャの吸引時において、プランジャの内周底面と接点シャフト先端面を係合させ接点シャフトを移送させる際の接点シャフトの変形や傾きが大きくなり、結果として接点シャフト支持部の摺動抵抗が大きくなって摺動しなくなったり、接点シャフトの破損を招いたりするおそれがあった。【０００５】
そこで本発明は、マグネットスイッチを小型軽量化した場合でも接点シャフトを安定して移送することのできる、信頼性の高いマグネットスイッチを提供することを目的とする。
【課題を解決するための手段】
【０００６】
上記課題を解決するために、例えば請求の範囲に記載の構成を採用する。本願は上記課題を解決する手段を複数含んでいるが、その一例を挙げるならば、ソレノイドへ通電してスプリングの力に抗してプランジャを固定鉄心に吸引し、当該プランジャで接点シャフトを操作して接点を開閉するマグネットスイッチであって、前記接点シャフトが、前記プランジャに形成された第１の摺動支持部と前記固定鉄心に形成された第２の摺動支持部とで摺動可能に支持されており、プランジャが前記接点シャフトに係合して接点閉じ方向に前記接点シャフトを推進させるための第１の係合部が前記第１の摺動支持部と前記第２の摺動支持部との間に設けられていることを特徴とする。
【発明の効果】
【０００７】
本発明によれば、マグネットスイッチを小型軽量化した場合でも接点シャフトを安定して移送することのできる、信頼性の高いマグネットスイッチを提供することができる。【０００８】
上記した以外の課題、構成及び効果は、以下の実施形態の説明により明らかにされる。
【図面の簡単な説明】
【０００９】
【図１】実施例のマグネットスイッチを実装したスタータ要部の断面図。
【図２】実施例のマグネットスイッチの断面図。
【図３】図２のマグネットスイッチの吸引動作（プランジャとカラーが係合）を示す断面図。
【図４】図２のマグネットスイッチの吸引動作（可動接点と固定接点接合）を示す断面図。
【図５】図２のマグネットスイッチの開放動作を示す断面図。
【発明を実施するための形態】
【００１０】
以下、図面を用いて本発明の実施例を説明する。
【００１１】
図１は、本発明によるマグネットスイッチを実装した一実施例のスタータ要部を示す断面図である。図２は、本発明による一実施例のマグネットスイッチを示す断面図である。図１，図２を同時に参照して、本実施例のマグネットスイッチの構成について説明する。
【００１２】
図１において、スタータは、スタータ本体１とマグネットスイッチ２とから構成される。そして、図２において、マグネットスイッチ２は、通電により起磁力を発生する励磁コイル３と、起磁力を受け磁路を形成し固定鉄心となるコイルケース４、ボス５と、可動鉄心となるプランジャ６により構成されるソレノイド部と、ソレノイド動作時にプランジャ６がボス５側に吸引移送する動作を利用してシフトレバー７を移送させ、シフトレバー７下端７ａと係合するピニオン８をシフトさせる噛み込み部と、プランジャ６移送時、可動接点９を移送させ固定接点１０と接合させ、固定接点１０間の通電を行う接点部からなる。このときプランジャ６内には、シフトレバー７と係合しプランジャ６の移送時にシフトレバー７を移送させるプランジャシャフト１１と、接点シャフト１２が配設されている。
【００１３】
接点シャフト１２は、所定のストローク分プランジャ６移送後、プランジャ６に係合し可動接点９を移送押圧させるカラー１３を保持している。接点シャフト１２は、プランジャ６の径方向内周面６ｃ（第１の摺動支持部）に摺動可能に支持され、また、カラー１３を介してボス５の径方向内周面５ｃ（第２の摺動支持部）に摺動可能に支持されている。また接点シャフト１２は、通電ＯＦＦ後、プランジャ６を初期位置へ戻し、可動接点９を固定接点１０から切り離すためのＣリターンスプリング１４とプランジャリターンスプリング１５を有している。
【００１４】
図３を用いて、マグネットスイッチ２の吸引時の動作について説明する。キースイッチ（図示せず）をＯＮすることにより励磁コイル３に通電し、プランジャ６が矢印で示す軸方向一方側（接点閉じ方向）に吸引され、プランジャ６の径方向内周面６ｃの軸方向端部６ａと、可動接点９を備える接点シャフト１２に保持されたカラー１３の径方向外周面１３ｃの軸方向端部１３ａとが係合する。
【００１５】
図４は、さらにプランジャ６が吸引され、可動接点９と固定接点１０が接合した状態の動作図である。図３に示した動作でプランジャ６と係合したカラー１３は、Ｃオシバネ１６、絶縁板１７を介して可動接点９を移送させ、固定接点１０に接合させる。接合後、バッテリ側の固定接点１０からモータ側の固定接点１０へ可動接点９を介して通電が行われ、モータ（図示せず）を回転させる。
【００１６】
ここで、本実施例ではカラー１３を設け、プランジャ６と係合し接点シャフト１２を押す面を、接点シャフト１２の先端面１２ａではなく、接点シャフト１２の先端面１２ａよりも可動接点９側に近づけた構成としている。プランジャ６と接点シャフト１２の係合位置を可動接点９に近づけたことで、図４のように受面と押面のスパンは接点シャフト１２の先端面１２ａ部：Ｌ１に対し、カラー１３の径方向外周面１３ｃの軸方向端部１３ａ部：Ｌ２と短くなり、Ｌ２÷Ｌ１の割合で接点シャフト１２の変形、傾きは低減する。
【００１７】
図５を用いて、キースイッチＯＦＦ後、固定接点９から可動接点１０を切り離す状態の動作を説明する。キースイッチＯＦＦ後、プランジャ６の吸引力はなくなり、プランジャリターンスプリング１５により矢印で示す軸方向他方側（接点開き方向）にプランジャ６は戻ろうとする。プランジャ６が所定量ストロークしたところで接点シャフト１２の先端つば部１２ｂとプランジャ６の内周面６ｃの軸方向端部６ｂが係合し、固定接点１０から可動接点９を切り離すＣリターンスプリング１４の戻り力に加え、さらにプランジャリターンスプリング１５の戻り力を加え切り離す。ここで、プランジャ６の内周面６ｃの軸方向端部６ｂは、軸方向端部６ａの軸方向他方側に位置している。固定接点１０から可動接点９を切り離した後は図２に示す初期位置の状態となる。
【００１８】
上述したように構成することで、マグネットスイッチ２を小型化しＣリターンスプリング１４の荷重を低下させたとしても、プランジャリターンスプリング１５の荷重を加えて補助することができ、キースイッチＯＦＦ後、固定接点１０から可動接点９を切り離す時の信頼性を確保できる。
【００１９】
なお、接点シャフト１２、カラー１３は非磁性体、特に樹脂で成形される。
【００２０】
また、接点シャフト１２とカラー１３を一体成形し、接点シャフト１２の先端つば部１２ｂに別体部材を組み付け保持させても、上述の構成と同様の効果を得ることができる。
【００２１】
以上の構成は、次のように表現することもできる。  
１）可動接点９の閉じ動作時の係合部（プランジャ６の径方向内周面６ｃの軸方向端部６ａとカラー１３の径方向外周面１３ｃの軸方向端部１３ａ部）と、可動接点９の開き動作時の係合部（接点シャフト１２の先端つば部１２ｂとプランジャ６の内周面６ｃの軸方向端部６ｂ）の２つの係合部がプランジャ６と接点シャフト１２との間に設けられている。  
２）可動接点９の閉じ動作時の係合部は押し当て係合で、可動接点９の開き動作時の係合部は引っ掛け係合によって形成されている。  
３）２つの係合部間の距離はプランジャのストロークより短い。  
４）可動接点９の閉じ動作時の押し当て係合部は接点シャフト１２の外周に形成した外方突出部の端面（例えばカラー１３の径方向外周面１３ｃの軸方向端部１３ａ部）とプランジャ６の内側突出小径部の端面（例えばプランジャ６の径方向内周面６ｃの軸方向端部６ａ）とで構成される。  
５）可動接点の開き動作時の引っ掛け係合部はシャフトの反接点側端部に設けた外方突出部の端面と、これに対面する位置でプランジャに設けられた内側突出小径部の端面とで構成される。  
６）固定鉄心のシャフト支持部（ボス５）と引っ掛け係合部との間に押し当て係合部が位置する。
【００２２】
以上説明したごとく、本発明によれば、接点閉動作における接点シャフトの推進力が接点シャフトの略中央もしくは可動接点の近傍より付加されることで、接点シャフトの圧縮によるたわみ変形または傾きを防止し、接点シャフトの安定した移送動作を得ることが出来る。
【００２３】
さらに、接点シャフトの外周にカラーを設置し、プランジャとの係合面とすることで、接点シャフトの推進力付加位置がさらに可動接点に近接するとともに、接点シャフトの径方向支持点を離れるため、支持点を摺動部位における接点シャフトの圧縮変形が解消され、接点シャフトのより安定した移動動作を実現することができる。
【００２４】
なお、本発明は上記した実施例に限定されるものではなく、本発明の主旨を逸脱しない範囲で様々な変形例が含まれる。例えば、上記した実施例は本発明を分かりやすく説明するために詳細に説明したものであり、必ずしも説明した全ての構成を備えるものに限定されるものではない。また、実施例の構成の一部について、他の構成の追加・削除・置換をすることが可能である。
【符号の説明】
【００２５】
１      スタータ本体
２      マグネットスイッチ
３      励磁コイル
４      コイルケース
５      ボス
６      プランジャ
６ａ    径方向内周面
６ｂ    内周面
７      シフトレバー
７ａ    下端
８      ピニオン
９      可動接点
１０    固定接点
１１    プランジャシャフト
１２    接点シャフト
１２ａ  先端面
１２ｂ  先端つば部
１３    カラー
１４    Ｃリターンスプリング
１５    プランジャリターンスプリング
１６    Ｃオシバネ
１７    絶縁板
【図１】
2015098327.tif 000003
【図２】
2015098327.tif 000004
【図３】
2015098327.tif 000005
【図４】
2015098327.tif 000006
【図５】
2015098327.tif 000007
【国際調査報告】
2015098327.tif 000008
2015098327.tif 000009
2015098327.tif 000010
2015098327.tif 000011